(57)【要約】【課題】意図に反して二次電池装置のバッテリが消費されるのを抑制する。【解決手段】実施形態のコネクタカバー１は、リチウムイオン電池１００ａとリチウムイオン電池１００ａを制御するＢＭＵ１００ｂとを備えた二次電池装置の制御用コネクタに取り付けられる。コネクタカバー１は、ピン端子１１と電池状態表示部（電池残量表示部１２ａ、接続状態表示部１２ｂ）を備える。ピン端子１１は、リチウムイオン電池１００ａとＢＭＵ１００ｂとの間に配置されたジャック端子Ｊ１，Ｊ２に挿入され、ジャック端子Ｊ１，Ｊ２を導通させる。電池状態表示部（電池残量表示部１２ａ、接続状態表示部１２ｂ）は、ジャック端子Ｊ１へのピン端子１１の挿入に伴ってリチウムイオン電池１００ａに接続されるよう設けられ、リチウムイオン電池１００ａの電力によりリチウムイオン電池１００ａの状態に係る情報を表示する。【選択図】図５
2018207626.tif 000002
【特許請求の範囲】
【請求項１】
二次電池と当該二次電池を制御する制御ユニットとを備えた二次電池装置の制御用コネクタに取り付けられるコネクタカバーであって、
前記二次電池と前記制御ユニットとの間に配置された前記制御用コネクタのジャック端子に挿入され、当該ジャック端子を導通させるピン端子と、
前記ジャック端子への前記ピン端子の挿入に伴って前記二次電池に接続されるよう設けられ、前記二次電池の電力により当該二次電池の状態に係る情報を表示する電池状態表示部と、を備える、
コネクタカバー。
【請求項２】
前記二次電池状態表示部は、前記二次電池の残量を表示する電池残量表示部を備える、
請求項１に記載のコネクタカバー。
【請求項３】
前記二次電池状態表示部は、前記二次電池の接続状態を表示する接続状態表示部を備える、
請求項１または２に記載のコネクタカバー。
【請求項４】
前記制御用コネクタと係合する部分に設けられ、当該係合する部分の隙間を塞ぐ防水部材をさらに備える、
請求項１から３のいずれか１項に記載のコネクタカバー。
【請求項５】
前記制御用コネクタに着脱可能に設けられ、前記制御用コネクタからの抜け落ちを防止する抜け止め部をさらに備える、
請求項１から４のいずれか１項に記載のコネクタカバー。
【請求項６】
押圧および回転の少なくとも一方の操作を受け付け、当該操作に応じて、前記ジャック端子の導通と非導通を切り替えるスイッチ部をさらに備える、
請求項１から５のいずれか１項に記載のコネクタカバー。
【請求項７】
前記コネクタカバーの位置から一定の範囲内にある所定の機器の操作を受け付け、当該操作に応じて、前記ジャック端子の導通と非導通を切り替えるスイッチ部をさらに備える、
請求項１から５のいずれか１項に記載のコネクタカバー。
【発明の詳細な説明】
【技術分野】
【０００１】
本発明の実施形態は、コネクタカバーに関する。
【背景技術】
【０００２】
リチウムイオン電池等の車両用バッテリと、当該バッテリを制御するＢＭＵ（Battery Management Unit）等の制御ユニットとを備えた二次電池装置が知られている。制御ユニットは、上位装置であるエンジンコントロールユニット等とＣＡＮ（Controller Area Network）通信を行い、バッテリの電圧、温度等を上位装置に送信する。
【０００３】
また、上位装置と通信を行わないで、制御ユニットが単独でバッテリの監視、評価を行う運用がされることがある。この場合、二次電池装置の制御用コネクタへの接続により制御ユニットを起動させるコネクタ（ダミーコネクタ）が使用される。
【０００４】
ダミーコネクタが制御用コネクタに接続されている間は、制御ユニットの動作によってバッテリの電力が消費される。そのため、ダミーコネクタを制御用コネクタの保護キャップとユーザが誤認して、二次電池装置に取り付けたままにしておくと、ユーザの意図に反してバッテリの電力が消費されてしまう。
【先行技術文献】
【特許文献】
【０００５】
【特許文献１】特開２０００−２８５９６８号公報
【発明の概要】
【発明が解決しようとする課題】
【０００６】
本発明が解決しようとする課題は、ユーザの意図に反して二次電池装置のバッテリが消費されるのを抑制可能なコネクタカバーを提供することを目的とする。
【課題を解決するための手段】
【０００７】
本発明の実施形態のコネクタカバーは、二次電池と当該二次電池を制御する制御ユニットとを備えた二次電池装置の制御用コネクタに取り付けられるコネクタカバーであって、前記制御用コネクタの前記二次電池と前記制御ユニットとの間に配置されたジャック端子に挿入され、前記ジャック端子を導通させるピン端子と、前記ジャック端子への前記ピン端子の挿入に伴って前記二次電池に接続されるよう設けられ、前記二次電池の電力により当該二次電池の状態に係る情報を表示する電池状態表示部とを備える。
【図面の簡単な説明】
【０００８】
【図１】本発明の第１の実施の形態に係るコネクタカバーが取り付けられる二次電池装置の外観を示した模式図である。
【図２】図１に示したコネクタカバーが二次電池装置に取り付けられる部分の拡大図である。
【図３】（ａ）は二次電池装置に取り付けられる前のコネクタカバーを上から見た図である。（ｂ）は二次電池装置に取り付けられたコネクタカバーを上から見た図である。
【図４】（ａ）は二次電池装置に取り付けられる前のコネクタカバーの内部を示した図である。（ｂ）は二次電池装置に取り付けられたコネクタカバーの内部を示した図である。
【図５】（ａ）は二次電池装置に取り付けられる前の接続端子収容部の状態を示した図である。（ｂ）は二次電池装置に取り付けられた接続端子収容部の状態を示した図である。
【図６】コネクタカバーおよび二次電池装置の回路構成を示した図である。
【図７】（ａ）はピン端子がジャック端子に挿入されていないときのガイド溝におけるガイド片の位置を示した図である。（ｂ）はピン端子がジャック端子に挿入されているときのガイド溝におけるガイド片の位置を示した図である。
【図８】第１の実施の形態の第１変形例に係るコネクタカバーを示した図である。
【図９】第１の実施の形態の第２変形例に係るコネクタカバーを示した図である。
【図１０】第１の実施の形態の第３変形例に係るコネクタカバーの接続構成を示した図である。
【図１１】図１０に示したコネクタカバーおよび二次電池装置の回路構成を示した図である。
【図１２】本発明の第２の実施の形態に係るコネクタカバーの構成を示した図である。
【図１３】図１２に示したコネクタカバーおよび二次電池装置の回路構成を示した図である。
【図１４】第２の実施の形態の第１変形例に係るコネクタカバーの接続構成を示した図である。
【図１５】図１４に示したコネクタカバーおよび二次電池装置の回路構成を示した図である。
【図１６】第２の実施の形態の第２変形例に係るコネクタカバーの接続構成を示した図である。
【発明を実施するための形態】
【０００９】
以下、発明を実施するための形態について図面を参照して説明する。なお、図中、同一または同等の部分には同一の符号を付す。
【００１０】
（第１の実施形態）
図１に示すように、二次電池装置１００は、車両用バッテリとして用いられるリチウムイオン電池１００ａと、ＢＭＵ（Battery Management Unit）１００ｂとを備える。ＢＭＵ１００ｂは、リチウムイオン電池１００ａの電圧や温度を監視し、リチウムイオン電池１００ａを保護（制御）する制御ユニットである。本実施形態では、説明の便宜上、リチウムイオン電池１００ａが１つである場合について説明するが、リチウムイオン電池１００ａの数量や接続の態様（並列、直列）は適宜に変更できる。
【００１１】
コネクタカバー１は、制御用コネクタ１０１に取り付けられる。制御用コネクタ１０１は、例えばＣＡＮ（Controller Area Network）通信コネクタ等から構成される、コネクタカバー１は、リチウムイオン電池１００ａの監視、評価をＢＭＵ１００ｂに単独で行わせる場合に用いられる。
【００１２】
コネクタカバー１は、図２に示すように、制御用コネクタ１０１の上方から制御用コネクタ１０１を覆うように取り付けられ、制御用コネクタ１０１を外部から保護する。また、コネクタカバー１は、上面にリチウムイオン電池１００ａの状態に係る情報を表示する電池状態表示部１２を備える。
【００１３】
電池状態表示部１２は、電池残量表示部１２ａと接続状態表示部１２ｂとを備える。例えば、図３に示すように、電池残量表示部１２ａは、リチウムイオン電池１００ａの残量（ＳＯＣ：State of charge）を表示する。接続状態表示部１２ｂは、リチウムイオン電池１００ａの接続状態を表示する。
【００１４】
図２に戻り、コネクタカバー１は、収容部１０と、抜け止め部２０と、操作部３０とを備える。
【００１５】
収容部１０は、図４（ａ）および（ｂ）に示すように、ピン端子１１と電池残量表示部１２ａと接続状態表示部１２ｂとを備える。ピン端子１１、電池残量表示部１２ａ、接続状態表示部１２ｂは、それぞれ一対のプラグピンＰ１〜Ｐ６を備える。なお、以下、各プラグピンについて区別しない場合はプラグピンＰと総称する。
【００１６】
ピン端子１１、電池残量表示部１２ａおよび接続状態表示部１２ｂの各プラグピンＰは、収容部１０から露出されている。また、ピン端子１１、電池残量表示部１２ａおよび接続状態表示部１２ｂのプラグピンＰ以外の部分は収容部１０の内部に密閉収納されている。
【００１７】
ピン端子１１は、プラグピンＰ１，Ｐ２とスイッチＳＷを備える。プラグピンＰ１，Ｐ２は、制御用コネクタ１０１のジャック端子Ｊ１，Ｊ２に挿入される。ジャック端子Ｊ１，Ｊ２は、図５に示すように、リチウムイオン電池１００ａとＢＭＵ１００ｂとの間に配置されている。
【００１８】
スイッチＳＷは、例えば、ロータリスイッチ等から構成され、操作部３０の操作に応じてプラグピンＰ１，Ｐ２の接点の開閉がされる。スイッチＳＷは、図６（ａ）および（ｂ）に示すように、その上部に設けられた軸受Ｂを所定量回転させることにより、図５に示したプラグピンＰ１，Ｐ２の接点の開閉（オンオフ）を切り替える。軸受Ｂは、操作部３０と係合され、操作部３０の動作に応じて回転される。ジャック端子Ｊ１，Ｊ２は、プラグピンＰ１，Ｐ２の接点が閉じた場合に導通される。
【００１９】
また、収容部１０は、制御用コネクタ１０１と係合する部分に防水リング１０ｒを備える。防水リング１０ｒは、Ｏリング等から構成され、制御用コネクタ１０１と係合する部分の隙間を防ぐことにより、制御用コネクタ１０１を防水する。
【００２０】
図５に戻り、ピン端子１１のスイッチＳＷによってジャック端子Ｊ１，Ｊ２が導通されると、ＢＭＵ１００ｂはリチウムイオン電池１００ａから供給される電力によって起動される。ＢＭＵ１００ｂは、リチウムイオン電池１００ａの電圧、温度等について監視、評価を行い、その結果を順次、記憶する。
【００２１】
電池残量表示部１２ａは、電圧センサ、ＬＥＤ（Light Emitting Diode）等を備えた電圧計測器から構成され、収容部１０の上面に配置される。電池残量表示部１２ａの両端のプラグピンＰ３，Ｐ４は、ピン端子１１のプラグピンＰ１，Ｐ２がジャック端子Ｊ１，Ｊ２に挿入されるのと同時に、ジャック端子Ｊ３，Ｊ４に挿入される。
【００２２】
ジャック端子Ｊ３，Ｊ４は、リチウムイオン電池１００ａとＢＭＵ１００ｂに並列に配置されている。プラグピンＰ３，Ｐ４がジャック端子Ｊ３，Ｊ４に挿入された状態で電池残量表示部１２ａは非表示（消灯）となっている。一方、プラグピンＰ３，Ｐ４がジャック端子Ｊ３，Ｊ４に挿入された状態でスイッチＳＷを閉じると、電池残量表示部１２ａは、リチウムイオン電池１００ａの電圧を計測し、図３に示したように、リチウムイオン電池１００ａの残量を表示する。
【００２３】
接続状態表示部１２ｂは、ＬＥＤ等の表示器から構成され、収容部１０の上面に配置される。接続状態表示部１２ｂは、例えば、複数のＬＥＤによって文字「ＯＮ」を配列する。接続状態表示部１２ｂの両端のプラグピンＰ５，Ｐ６は、ピン端子１１のプラグピンＰ１，Ｐ２がジャック端子Ｊ１，Ｊ２に挿入されるのと同時に、ジャック端子Ｊ５，Ｊ６に挿入される。
【００２４】
ジャック端子Ｊ５，Ｊ６は、リチウムイオン電池１００ａ、ＢＭＵ１００ｂに並列に配置されている。プラグピンＰ５，Ｐ６がジャック端子Ｊ５，Ｊ６に挿入された状態でピン端子１１のスイッチＳＷが開いている場合は、接続状態表示部１２ｂの配列された文字「ＯＮ」は非表示（消灯）となっている。一方、プラグピンＰ５，Ｐ６がジャック端子Ｊ５，Ｊ６に挿入された状態でスイッチＳＷを閉じると、接続状態表示部１２ｂは、リチウムイオン電池１００ａから供給される電流によって文字「ＯＮ」を点灯する。
【００２５】
抜け止め部２０は、両端が開口された筒状に形成され、収容部１０の外周面に沿って軸方向および周方向に移動可能に設けられる。また、抜け止め部２０は、収容部１０の下端で外周面から延びた段部１０ｂと係合する係合部２０ａを備える。収容部１０は、当該係合部２０ａによって抜け止めされる。
【００２６】
また、抜け止め部２０は、制御用コネクタ１０１に着脱可能に設けられる。抜け止め部２０は、筒内部に雌ネジ２０ｂが形成されている。雌ネジ２０ｂは、制御用コネクタ１０１の外周に形成された雄ネジ１０１ａと螺合し、制御用コネクタ１０１から抜け止めされる。
【００２７】
操作部３０は、下端が開口され、上端が閉じた筒状に形成されている。操作部３０は、ツマミ部を構成し、ユーザによって押圧および回転による手操作がされる。操作部３０は、収容部１０の上部外側に設けられたバネ等の弾性部材によって上方向（プラグピンＰの挿入方向と反対方向）に付勢されて支持される。
【００２８】
また、操作部３０は、その内側中心から下方向にシャフト３０ａが形成されている。シャフト３０ａは、収容部１０の上部中央に設けられた軸孔１０ｈに挿入され、軸孔１０ｈにおいて軸方向に移動される。また、シャフト３０ａの先端部は、軸孔１０ｈにおいてシャフト３０ａと同軸上に設けられたスイッチＳＷの軸受Ｂと係合され、操作部３０の回転に応じて軸受Ｂを回転させる。
【００２９】
また、操作部３０は、その内周面にガイド溝３０ｂを備える。ガイド溝３０ｂは、収容部１０の外側から突出されたガイド片１０ａに係合される。シャフト３０ａによるスイッチＳＷの軸受Ｂとの係合および回転は、ガイド片１０ａおよびガイド溝３０ｂによって案内される。
【００３０】
ガイド溝３０ｂは、例えば図７（ａ）および（ｂ）に示すように、連続的にＬ字状に形成される。シャフト３０ａが図６（ａ）に示した位置にある場合は、ガイド片１０ａは図７（ａ）に示したガイド溝３０ｂの位置にある。一方、操作部３０を支持する弾性部材の付勢力に抗してユーザが操作部３０を押圧し、回転させると、シャフト３０ａが図６（ｂ）に示した位置に移動する。この場合、ガイド片１０ａは図７（ｂ）に示したガイド溝３０ｂの位置に移動する。
【００３１】
また、操作部３０は、収容部１０の外周面との隙間を防ぐ防水リング３０ｒを備える。防水リング３０ｒは、Ｏリング等から構成され、操作部３０内側における収容部１０の移動スペースを防水する。
【００３２】
また、操作部３０の上面は、図３に示したように、コネクタカバー１の操作をガイドする情報が印字されている。例えば、コネクタカバー１を押圧して右方向に回転させるとＯＮ、コネクタカバー１を押圧して左方向に回転させるとＯＦＦとなる旨が印字されている。ユーザは、当該情報によって、押圧、回転による２アクションの手操作を行う。
【００３３】
また、操作部３０は、収容部１０の上面に配置された電池残量表示部１２ａおよび接続状態表示部１２ｂをユーザが視認できるよう、少なくとも当該位置に対応する部分が透明の材料で形成されることが好ましい。
【００３４】
以上のように構成されたコネクタカバー１を使用する場合、はじめにユーザは、抜け止め部２０を制御用コネクタ１０１の上方から被せる。ユーザは、抜け止め部２０を回転させることにより、抜け止め部２０の雌ネジ２０ｂを制御用コネクタ１０１の雄ネジ１０１ａに螺合させる。これにより、図６（ａ）に示したように、各プラグピンＰはジャック端子Ｊに挿入される。具体的には、ピン端子１１のプラグピンＰ１，Ｐ２は、ジャック端子Ｊ１，Ｊ２に挿入され、電池残量表示部１２ａのプラグピンＰ３，Ｐ４は、ジャック端子Ｊ３，Ｊ４に挿入され、接続状態表示部１２ｂのプラグピンＰ５，Ｐ６は、ジャック端子Ｊ５，Ｊ６に挿入される。なお、この場合、ピン端子１１のスイッチＳＷは開いた状態となっている。
【００３５】
次に、ユーザは操作部３０を押圧して右方向に回転すると、図６（ｂ）に示したように、シャフト３０ａは軸受Ｂと係合され、軸受Ｂが回転される。これにより、スイッチＳＷは閉じた状態となり、ジャック端子Ｊ１，Ｊ２は導通される。この場合、リチウムイオン電池１００ａから供給される電力によってＢＭＵ１００ｂが起動される。ＢＭＵ１００ｂは、リチウムイオン電池１００ａの電圧、温度等について監視、評価を行い、その結果を順次、記憶する。
【００３６】
また、このとき、電池残量表示部１２ａは、リチウムイオン電池１００ａの残量（ＳＯＣ）を表示し、接続状態表示部１２ｂは、複数のＬＥＤによって配列された文字「ＯＮ」を点灯する。
【００３７】
なお、コネクタカバー１の使用を終了する場合は、ユーザは、上記と逆の動作を行って、コネクタカバー１を制御用コネクタ１０１から取り外す。
【００３８】
以上、本実施形態に係るコネクタカバー１は、押圧と回転の２アクションの手操作によってＢＭＵ１００ｂの起動と停止を切り替え、電池状態表示部１２（電池残量表示部１２ａ，接続状態表示部１２ｂ）に、リチウムイオン電池１００ａの状態に係る情報を表示できる。これにより、ユーザは、リチウムイオン電池１００ａの残量、接続状態を知ることができる。また、電池残量表示部１２ａや接続状態表示部１２ｂの表示によって、ＢＭＵ１００ｂが動作中であるか否かをユーザが簡単に確認できるため、コネクタカバー１の取り忘れ等、ユーザの意図に反してリチウムイオン電池１００ａの電力が消費されるのを抑制できる。
【００３９】
また、コネクタカバー１の収容部１０は、制御用コネクタ１０１と係合する部分に防水リング１０ｒを備えるので、制御用コネクタ１０１を防水できる。また、コネクタカバー１の操作部３０は、収容部１０の外周面との隙間を防ぐ防水リング３０ｒを備えるので、操作部３０内側における収容部１０の移動スペースを防水できる。
【００４０】
なお、コネクタカバー１においてスイッチＳＷの開閉を行うための操作部３０の操作は、上記実施形態で説明したものに限定されない。例えば、図８や図９に示すように、操作部３０の回転操作または押圧操作を行うことによりピン端子１１のプラグピンＰ１，Ｐ２の接点が開閉されるようスイッチＳＷを構成してもよい。
【００４１】
また、収容部１０は、図１０および図１１に示すように、一対のピン端子１１，１１’と、電池残量表示部１２ａと、接続状態表示部１２ｂとを備え、電池残量表示部１２ａおよび接続状態表示部１２ｂが一対のピン端子１１，１１’に接続されてもよい。この場合、一対のピン端子１１，１１’は、それぞれ、両端のプラグピンＰ１，Ｐ２，Ｐ７，Ｐ８が、制御用コネクタ１０１のジャック端子Ｊ１，Ｊ２，Ｊ３，Ｊ４に挿入される。この場合も、ピン端子１１に備えられたスイッチＳＷの開閉により、ジャック端子Ｊ１，Ｊ２の非導通、導通が切り替えられる。なお、この場合、電池残量表示部１２ａおよび接続状態表示部１２ｂは、プラグピンＰを要しない。
【００４２】
（第２の実施形態）
本実施形態では、コネクタカバー１の位置から一定の範囲内で行われるユーザの非接触操作に応じて、スイッチＳＷの開閉を切り替えるコネクタカバー１について説明する。なお、第１の実施形態で説明した構成と同一の構成については同一の符号を付し、重複した説明は適宜省略する。
【００４３】
収容部１０は、図１２に示すように、ピン端子１１と電池残量表示部１２ａと接続状態表示部１２ｂとを備え、各プラグピンＰは、それぞれ対応する制御用コネクタ１０１の各ジャック端子Ｊに挿入される。ピン端子１１は、非接触操作によって開閉を切り替えるスイッチＳＷを備える。スイッチＳＷは、収容部１０の内部に密閉収納されている。
【００４４】
スイッチＳＷは、例えば、マグネットスイッチ等である。具体的には、図１３に示すように、磁石ＭのＮ極側を近づけるとプラグピンＰ１，Ｐ２の接点が閉じ、磁石ＭのＳ極側を近づけるとプラグピンＰ１，Ｐ２の接点が開くように構成されている。
【００４５】
スイッチＳＷが閉じた場合には、ジャック端子Ｊ１，Ｊ２は導通され、ＢＭＵ１００ｂはリチウムイオン電池１００ａから供給される電力によって起動される。このとき、電池残量表示部１２ａは、図３に示したように、リチウムイオン電池１００ａの残量を表示する。また、このとき、接続状態表示部１２ｂは、リチウムイオン電池１００ａから供給される電流によって文字「ＯＮ」を点灯する。
【００４６】
一方、スイッチＳＷが開いた場合には、ジャック端子Ｊ１，Ｊ２は非導通となり、ＢＭＵ１００ｂは停止される。このとき、電池残量表示部１２ａ、接続状態表示部１２ｂは、いずれも非表示（消灯）の状態となる。
【００４７】
このように、本実施形態に係るコネクタカバー１によれば、収容部１０の内部で防水されたスイッチＳＷの開閉を非接触操作によって切り替えることができ、コネクタカバー１の操作性の向上を図ることができる。
【００４８】
また、収容部１０は、図１４および図１５に示すように、一対のピン端子１１，１１’と、電池残量表示部１２ａと、接続状態表示部１２ｂとを備え、電池残量表示部１２ａおよび接続状態表示部１２ｂが一対のピン端子１１，１１’に接続されるように構成されてもよい。また、この場合、スイッチＳＷは、一対のピン端子１１，１１’の何れか一方に備えればよい。
【００４９】
なお、スイッチＳＷは、図１６に示すように、常開端子と常閉端子の何れかに接続されるよう制御されてもよい。
【００５０】
また、上記実施形態では、磁石ＭによってスイッチＳＷの開閉を切り替える例を説明したが、スイッチＳＷは、非接触操作によって接点が切り替えられる構成であればよく、例えば、ＮＦＣ(Near Field Communication)、Ｗｉ−Ｆｉ（ワイファイ：登録商標）、または赤外線等の通信を行う通信装置を用いてスイッチＳＷの開閉を切り替えてもよい。なお、コネクタカバー１には、当該通信装置と通信を行う通信部を備えてもよい。この場合、通信部は、ジャック端子Ｊが導通された場合に、リチウムイオン電池１００ａから供給される電力によって、ＢＭＵ１００ｂが起動した旨やリチウムイオン電池１００ａの状態に係る情報（電池残量や接続状態等）を通信装置に送信し、当該通信装置で受信された当該情報を表示させてもよい。
【００５１】
また、コネクタカバー１は、ピン端子１１にスイッチＳＷを備えず、プラグピンＰ１，Ｐ２のジャック端子Ｊ１，Ｊ２への挿抜に応じて、リチウムイオン電池１００ａの電力によってＢＭＵ１００ｂの起動と停止が切り替えられるよう構成されてもよい。例えば、ピン端子１１、電池残量表示部１２ａ、接続状態表示部１２ｂが密閉収納された収容部１０を制御用コネクタ１０１の上方にて鉛直方向に移動可能に設け、収容部１０の下方向への移動によってピン端子１１のプラグピンＰ１，Ｐ２をジャック端子Ｊ１，Ｊ２に挿入することにより、ジャック端子Ｊ１，Ｊ２を導通させてもよい。また、この場合、電池残量表示部１２ａ、接続状態表示部１２ｂは、ピン端子１１の挿入に伴ってリチウムイオン電池１００ａに接続されるよう設けられ、当該リチウムイオン電池１００ａの電力により、リチウムイオン電池１００ａの残量や接続状態を表示してもよい。
【００５２】
また、コネクタカバー１は、ユーザの手操作（直接操作）と非接触操作の組み合わせによって、制御用コネクタ１０１のジャック端子Ｊの導通、非導通の切り替えを行うように構成してもよい。この場合、ジャック端子Ｊは、ユーザの手操作（直接操作）と非接触操作の両方（ＡＮＤ）、片方（ＯＲ）の何れを設定してもよく、ジャック端子Ｊ１，Ｊ２の導通、非導通は、当該設定によって切り替えられる。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同時に、特許請求の範囲に記載された発明とその均等の範囲に含まれるものである。
【符号の説明】
【００５４】
１…コネクタカバー
１０…収容部
１０ａ…ガイド片
１０ｂ…段部
１０ｒ…防水リング
１０ｈ…軸孔
ＳＷ…スイッチ
Ｂ…軸受
１１，１１’…ピン端子
１２…電池状態表示部
１２ａ…電池残量表示部
１２ｂ…接続状態表示部
２０…抜け止め部
２０ａ…係合部
２０ｂ…雌ネジ
３０…操作部
３０ａ…シャフト
３０ｂ…ガイド溝
３０ｒ…防水リング
１００…二次電池装置
１００ａ…リチウムイオン電池（二次電池）
１００ｂ…ＢＭＵ（制御ユニット）
１０１…制御用コネクタ
１０１ａ…雄ネジ
Ｐ，Ｐ１〜Ｐ８…プラグピン
Ｊ，Ｊ１〜Ｊ６…ジャック端子
【図１】
2018207626.tif 000003
【図２】
2018207626.tif 000004
【図３】
2018207626.tif 000005
【図４】
2018207626.tif 000006
【図５】
2018207626.tif 000007
【図６】
2018207626.tif 000008
【図７】
2018207626.tif 000009
【図８】
2018207626.tif 000010
【図９】
2018207626.tif 000011
【図１０】
2018207626.tif 000012
【図１１】
2018207626.tif 000013
【図１２】
2018207626.tif 000014
【図１３】
2018207626.tif 000015
【図１４】
2018207626.tif 000016
【図１５】
2018207626.tif 000017
【図１６】
2018207626.tif 000018